(57)【要約】【課題】  ヘアードライヤーの使いやすさを向上させる。【解決手段】  ヘアードライヤー１は、本体部２と吐出部３とグリップ部４とを含む。本体部２は、モーター５とファン６とを含み、円弧形状部分２ａを持つ。吐出部３は、本体部２の一端側に形成され、本体部２の円弧形状部分２ａの反対側に向かって開口しておりモーター５とファン６とによって発生された風を吐出する開口部３ａを持ち、風を加熱するためのヒーター７を含む。グリップ部４は、一端側の反対側に位置する本体部２の他端側に形成される。本体部２と吐出部３とは、モーター５とファン６とによって発生された風を、円弧形状部分２ａの内面側を経由して開口部３ａへ導く風洞８を持つ。【選択図】  図８
2020081140.tif 000002
【特許請求の範囲】
【請求項１】
モーターとファンとを含み、円弧形状部分を持つ本体部と、
前記本体部の一端側に形成され、前記本体部の前記円弧形状部分の反対側に向かって開口しており前記モーターと前記ファンとによって発生された風を吐出する開口部を持ち、前記風を加熱するためのヒーターを含む吐出部と、
前記一端側の反対側に位置する前記本体部の他端側に形成されるグリップ部と、
を具備し、
前記本体部と前記吐出部とは、前記モーターと前記ファンとによって発生された前記風を、前記円弧形状部分の内面側を経由して前記開口部へ導く風洞を持つ、
ヘアードライヤー。
【請求項２】
前記開口部から吐出される前記風の吐出方向における前記グリップ部の端部の位置と前記開口部の端部の位置との差である第１の突出値は、前記吐出方向と逆の方向における前記グリップ部の端部の位置と前記円弧形状部分の端部の位置との差である第２の突出値よりも小さい、請求項１のヘアードライヤー。
【請求項３】
前記円弧形状部分と前記グリップ部との境界部分に凹部を形成した、請求項１または請求項２のヘアードライヤー。
【請求項４】
前記グリップ部に備えられている操作部をさらに具備する、請求項１ないし請求項３のいずれか１項のヘアードライヤー。
【請求項５】
前記本体部の外壁面のうち互いに対向する位置のそれぞれに形成された吸気口をさらに具備する、請求項１ないし請求項４のいずれか１項のヘアードライヤー。
【請求項６】
前記吸気口が形成される前記本体部の前記外壁面は、前記モーターの回転軸と垂直な面である、請求項５のヘアードライヤー。
【請求項７】
前記本体部と前記吐出部と前記グリップ部との外壁を形成する少なくとも１つのハウジングを具備する、請求項１ないし請求項６のいずれか１項のヘアードライヤー。
【発明の詳細な説明】
【技術分野】
【０００１】
本発明は、ヘアードライヤーに関する。
【背景技術】
【０００２】
一般的なヘアードライヤーは、例えば、モーター、ファン、ヒーターを内包する筒状の本体部とグリップ部とを備える形状を持つ。モーターおよびファンによって発生された風は、ヒーターで温められ、その後、本体部の端部の吐出口、または、本体部から突出しているノズル部の吐出口から吐出される。
【先行技術文献】
【特許文献】
【０００３】
【特許文献１】特開２０１２−１９６３６５号公報
【発明の概要】
【発明が解決しようとする課題】
【０００４】
ヘアードライヤーの吐出口の位置がグリップ部の位置より突出していると、少し角度を変えたのみでユーザの意思よりも吐出口の位置が大きく動く場合があり、ヘアードライヤーから吐出される風がユーザの意図した位置からずれる場合があった。
また、ヘアードライヤーのユーザにとって、吐出口が突き出ている場合、この突出している部分が邪魔になる場合があった。
【０００５】
本発明は、上記実情に鑑みてなされたものであり、ユーザが意図した位置に風を当てることを容易にし、ユーザにとって使いやすいヘアードライヤーを提供することを目的とする。
【課題を解決するための手段】
【０００６】
本発明の一例に係るヘアードライヤーは、本体部と吐出部とグリップ部とを含む。本体部は、モーターとファンとを含み、円弧形状部分を持つ。吐出部は、本体部の一端側に形成され、本体部の円弧形状部分の反対側に向かって開口しておりモーターとファンとによって発生された風を吐出する開口部を持ち、風を加熱するためのヒーターを含む。グリップ部は、一端側の反対側に位置する本体部の他端側に形成される。本体部と吐出部とは、モーターとファンとによって発生された風を、円弧形状部分の内面側を経由して開口部へ導く風洞を持つ。
【発明の効果】
【０００７】
本発明によれば、ユーザが意図した位置に風を当てることを容易にし、ユーザにとって使いやすいヘアードライヤーを提供することができる。
【図面の簡単な説明】
【０００８】
【図１】本発明の実施形態に係るヘアードライヤーの第１の例を示す斜視図。
【図２】本発明の実施形態に係るヘアードライヤーの第２の例を示す斜視図。
【図３】本発明の実施形態に係るヘアードライヤーの一例を示す正面図。
【図４】本発明の実施形態に係るヘアードライヤーの一例を示す上面図。
【図５】本発明の実施形態に係るヘアードライヤーの一例を示す底面図。
【図６】本発明の実施形態に係るヘアードライヤーの一例を示す背面図。
【図７】本発明の実施形態に係るヘアードライヤーの一例を示す側面図。
【図８】本発明の実施形態に係るヘアードライヤーの一例を示す断面図。
【発明を実施するための形態】
【０００９】
以下、図面を参照して実施形態について説明する。図面において、同一の機能および構成要素については、同一符号を付して説明を省略するか、または、簡単に説明を行う。
【００１０】
本実施形態のヘアードライヤーは、風を吐出する開口部が突出することを抑制した形状を持つ。
【００１１】
図１は、本実施形態に係るヘアードライヤー１の第１の例を示す斜視図である。
図２は、本実施形態に係るヘアードライヤー１の第２の例を示す斜視図である。
【００１２】
ヘアードライヤー１は、本体部２、吐出部（風排出部）３、グリップ部４を備える。
【００１３】
本実施形態では、便宜上、ヘアードライヤー１を、本体部２、吐出部３、グリップ部４に分けて説明するが、この本体部２、吐出部３、グリップ部４は一体的に形成されてもよい。ヘアードライヤー１は、本体部２と吐出部３とグリップ部４との外壁を形成する少なくとも１つのハウジング１ａを備えるとしてもよい。例えば、本体部２および吐出部３は、一体的に形成されてもよい。
【００１４】
本実施形態において、本体部２と吐出部３とは、例えば渦巻き状の形状を持つ。
本体部２は、例えば、モーターとファンとを含む。本体部２は、円弧形状部分２ａを持つ。本実施形態において、円弧形状部分２ａは、モーターの回転軸をほぼ中心とする円弧形状を持つ。本体部２が円弧形状部分２ａを持つことで、開口部３ａが風の吐出先の方向へ突き出ていなくても、本体部２の内部で発生される風を適切に整流可能である。なお、本体部２は、円弧形状部分２ａに代えて、他の形状の部分を持つとしてもよい。
【００１５】
吐出部３は、本体部２の一端側に形成される。本実施形態において、本体部２の一端側（換言すれば、本体部２に対して吐出部３が形成されている側）を「上側」と表記する。
【００１６】
吐出部３は、モーターとファンとによって発生された風を加熱するためのヒーターを含む。吐出部３は、開口部３ａを持つ。開口部３ａは、本体部２の円弧形状部分２ａの反対側に向かって開口しており、モーターとファンとによって発生された風を吐出する。開口部３ａからは、温風またはヒーターによって加熱されていない風が吹き出される。
【００１７】
グリップ部４は、ユーザがヘアードライヤー１を使用する場合に保持する部分である。
【００１８】
グリップ部４は、本体部２の一端側の反対側に位置する本体部２の他端側に形成される。本実施形態において、本体部２の他端側（換言すれば、本体部２に対してグリップ部４が形成されている側）を「下側」と表記する。
【００１９】
グリップ部４は、操作部４ａを備える。操作部４ａは、温風／冷風切り替えボタン４１、電源のオン／オフを切り替えるスライドスイッチ４２を含む。グリップ部４の上側は本体部２の下側と連結されており、グリップ部４の下側からは、電源コードが引き出される。
【００２０】
開口部３ａから吐出される風の吐出方向におけるグリップ部４の端部の位置と開口部３ａの端部の位置との差である第１の突出値は、吐出方向と逆の方向におけるグリップ部４の端部の位置と円弧形状部分２ａの端部の位置との差である第２の突出値よりも小さい。この第１の突出値と第２の突出値との関係は、後で図７を用いて説明する。
【００２１】
なお、本実施形態において、突出値は、例えば、風の吐出方向または逆の方向における２つの位置の差を表すとする。
【００２２】
本実施形態に係るヘアードライヤー１において、開口部３ａが開口している側を「正面」と表記する。したがって、図１は、ヘアードライヤー１を正面側から見た斜視図である。
【００２３】
これに対して、ヘアードライヤー１において、円弧形状部分２ａが形成されている側を「背面」と表記する。したがって、図２は、ヘアードライヤー１を背面側から見た斜視図である。
【００２４】
本体部２の互いに対向する側面には、それぞれ、吸気口２１と、吸気口２１のフタ２２とが形成される。具体的に説明すると、２つの吸気口２１およびフタ２２は、本体部２の外壁面のうち互いに対向する側面にそれぞれ形成されている。吸気口２１およびフタ２２が形成されている２つの面は、のそれぞれ、例えば、モーターの回転軸と垂直な面としてもよい。
【００２５】
図３は、本実施形態に係るヘアードライヤー１の一例を示す正面図である。
【００２６】
ヘアードライヤー１の正面には、開口部３ａと操作部４ａとが形成されている。
【００２７】
操作部４ａは、グリップ部４に形成されてもよく、グリップ部４と本体部２とにわたって形成されてもよい。
【００２８】
図４は、本実施形態に係るヘアードライヤー１の一例を示す上面図である。この図４では、開口部３ａ（正面）が左側に配置され、円弧形状部分２ａ（背面）が右側に配置されるように描かれている。
【００２９】
図５は、本実施形態に係るヘアードライヤー１の一例を示す底面図である。この図５では、ヘアードライヤー１の正面が左側に配置され、ヘアードライヤー１の背面が右側に配置されるように描かれている。
【００３０】
この図４および図５から、開口部３ａの正面、本体部２の正面、グリップ部４の正面は互いにほぼ水平であり、突出していないことが理解される。また、円弧形状部分２ａの背面の端部は、グリップ部４の背面の端部から突出していることが理解される。
【００３１】
図６は、本実施形態に係るヘアードライヤー１の一例を示す背面図である。
【００３２】
ヘアードライヤー１の背面からは、円弧形状部分２ａとグリップ部４とが観察される。
【００３３】
図７は、本実施形態に係るヘアードライヤー１の一例を示す側面図である。この図７では、ヘアードライヤー１の正面が左側に配置され、ヘアードライヤー１の背面が右側に配置されるように描かれている。この図７において、ヘアードライヤー１の本体部２の背面側（円弧状部分２ａ）の面は、カーブしている。本体部２は、例えば、モーターの回転軸と平行であり、風の吐出方向Ａ，吐出方向Ａに対して逆の方向Ｂ，グリップ部４の軸方向Ｃと垂直な軸を持つ円柱形状としてもよい。
【００３４】
本実施形態では、本体部２の外壁面のうち、開口部３ａからの風の吐出方向Ａと平行であり、グリップ部４の軸方向Ｃとも平行な面を「側面」とする。
【００３５】
本体部２の互いに対向する側面であり、本体部２の正面と、吐出部３と、円弧形状部分２ａと、グリップ部４とに囲まれる位置に、環状の吸気口２１は配置されており、環状の吸気口２１の内径部に、吸気口２１のフタ２２が配置されている。
【００３６】
本体部２の円弧形状部分２ａの下側と、グリップ部４の上側との境界部分に凹部２ｂが形成されている。この凹部２ｂを形成することで、ユーザがグリップ部４を保持しやすく、また、操作部４ａを操作しやすくしている。
【００３７】
図８は、本実施形態に係るヘアードライヤー１の一例を示す断面図である。この図８は、上記図３の正面図を垂直方向に切断した場合の断面図であり、上記の図７の側面図を水平方向に切断した場合の断面図である。
【００３８】
上述したように、本体部２は、モーター５とファン６とを備える。モーター５の回転軸は、グリップ部４の軸方向Ｃと垂直であり、さらに、風の吐出方向Ａとも垂直である。吸気口２１およびフタ２２の形成されている本体部２の外壁面と、モーター５の回転軸とは、垂直な関係を持つ。
【００３９】
本体部２および吐出部３は、ファン６の回転により発生した風を、円弧形状部分２ａの内面側を経由して開口部３ａへ導く風洞８を持つ。
【００４０】
ファン６が反時計回りに回転すると、このファン６の回転により発生した風は、まず、円弧形状部分２ａの内面側（すなわち背面側）に流れ、風洞８経由で、開口部３ａ（すなわち正面側）から吐出される。風洞８は、円弧形状部分２ａの内面側にそって曲がっており、内部を流れる風の方向を調整しながら変えることができる。換言すると、本体部２内でファン６の回転により発生した風は、例えば、一旦方向Ｂへ向かい、風洞８により曲げられ、方向Ａへ向かい、その後開口部３ａから吐出される。
【００４１】
吐出部３は、ヒーター７を備える。ヒーター７は、開口部３ａの手前で風洞８を通る風を温める。
【００４２】
グリップ部４は、先で説明した操作部４ａと、電子回路部９とを備える。電子回路部９は、温風／冷風切り替えボタン４１のオン／オフしにたがって、ヒーター７の加熱／非加熱を制御する。また、電子回路部９は、スライドスイッチ４２のオン／オフしにたがって、モーター５の回転／停止を制御する。
【００４３】
以上説明した本実施形態においては、吐出部３の開口部３ａの正面位置が本体部２の正面の端部およびグリップ部４の正面の端部から大きく突出しない。このため、ユーザは希望する位置に開口部３ａを接近させることが容易である。また、ヘアードライヤー１のユーザにとって開口部３ａが邪魔にならない。したがって、ヘアードライヤー１のユーザの利便性および操作性を向上させることができる。
【００４４】
また、本体部２とグリップ部４との背面側の接続位置に凹部２ｂが形成されており、これによりヘアードライヤー１を保持するユーザの手の位置と開口部３ａとの距離を近くすることができ、ユーザはヘアードライヤー１を持ちやすく、操作部４ａを操作しやすくなる。
【００４５】
本実施形態においては、本体部２の内部から開口部３ａまでの距離が短いため、本体部２の内部で生成された赤外線および／またはイオンの劣化を防止することができる。
【００４６】
本実施形態においては、本体部２内でファン６の回転により発生した風が、まず円弧形状部分２ａの内面（背面）側に導かれ、円弧形状部分２ａの内面側の曲面にそって吐出部３へ導かれ、円弧形状部分２ａと逆側にある吐出部３の開口部３ａから吐出される。これにより、開口部３ａがヘアードライヤー１の正面から大きく突出しない構成でも、良好な風の整流効果を得ることができる。
【００４７】
本実施形態においては、グリップ部４の正面側の端部および本体部２の正面側の端部からの開口部３ａの第１の突出値Ｖ１はほぼゼロの場合を例示している。しかしながら、第１の突出値Ｖ１は、グリップ部４の背面側の端部からの円弧形状部分２ａの背面側の端部の第２の突出値Ｖ２より小さければよい。第１の突出値は、例えば、マイナスの値でもよく、例えば３ｃｍ以下などとしてもよい。
【００４８】
なお、本願発明は、上記各実施形態そのままに限定されるものではなく、実施段階ではその要旨を逸脱しない範囲で構成要素を変形して具現化できる。また、上記各実施形態に開示されている複数の構成要素の適宜な組み合わせにより種々の発明を形成できる。例えば、各実施形態に示される全構成要素から幾つかの構成要素を削減してもよい。更に、異なる実施形態に亘る構成要素を適宜組合せてもよい。
【符号の説明】
【００４９】
１…ヘアードライヤー、２…本体部、２ａ…円弧形状部分、２１…吸気口、２２…フタ、３…吐出部、３ａ…開口部、４…グリップ部、４ａ…操作部、５…モーター、６…ファン、７…ヒーター、８…風洞、Ｖ１…第１の突出値、Ｖ２…第２の突出値。
【図１】
2020081140.tif 000003
【図２】
2020081140.tif 000004
【図３】
2020081140.tif 000005
【図４】
2020081140.tif 000006
【図５】
2020081140.tif 000007
【図６】
2020081140.tif 000008
【図７】
2020081140.tif 000009
【図８】
2020081140.tif 000010